(57)【要約】【課題】各画素における最高輝度を活かした画像を提供可能としながら、表示むらを抑制するための表示装置を提供する。【解決手段】液晶パネル１０の輝度補正回路１１は、信号輝度に対応する階調を含む階調帯がピーク階調を含まない場合、階調帯を構成する２つの階調の補正値を用いた線形補間によって第１補正値を算出する。輝度補正回路１１は、信号輝度に対応する階調を含む階調帯がピーク階調を含む場合、ピーク階調以外の階調の補正値を用いて第２補正値の算出処理を実行する。輝度補正回路１１は、第１補正値又は第２補正値を用いて輝度補正処理を実行する。【選択図】図１
2012063440.tif 000002
【特許請求の範囲】
【請求項１】
供給された画像信号に基づいてディスプレイに画像を表示する表示装置であって、
画像信号から各画素の信号輝度を取得し、
この信号輝度が属する階調帯を特定し、
前記特定した階調帯がピーク階調を含まない階調帯の場合には、前記階調帯の上位階調及び下位階調の補正値を取得し、これら上位階調の補正値及び下位階調の補正値を線形補間することにより、前記信号輝度に対応する第１補正値を算出し、
前記特定した階調帯がピーク階調を含む階調帯の場合には、前記階調帯以下の階調の補正値を取得し、この補正値を用いて、前記信号輝度に対応する第２補正値を算出し、
前記算出した第１補正値又は第２補正値を用いて、前記信号輝度を補正することを特徴とする表示装置。
【請求項２】
前記第２補正値によって補正した輝度がピーク階調に対応する輝度を超える場合には、ピーク輝度を用いることを特徴とする請求項１に記載の表示装置。
【請求項３】
第２補正値を算出する場合には、前記信号輝度以下の２階調以上の補正値を取得し、これら補正値を用いて、前記信号輝度に対応する第２補正値を算出することを特徴とする請求項１又は２に記載の表示装置。
【発明の詳細な説明】
【技術分野】
【０００１】
本発明は、表示むらを抑制して画像を表示するための表示装置に関する。
【背景技術】
【０００２】
今日、液晶パネル等のディスプレイの製造ラインは、均一な品質を実現できるように構築されている。しかし、このような製造ラインにおいても、個々のディスプレイには、製造バラツキが発生する。そこで、各ディスプレイにおいて、よりよい画像を出力できるように調整するための技術が検討されている（例えば、特許文献１参照。）。この特許文献１に記載の技術では、画質調整装置の制御部が、テストパターンを生成し、液晶パネルに供給し、撮影カメラから出力画像を取得する。そして、出力画像データについてバンドパスフィルタリングを行ない、補正値を算出する。すべての基準階調について画像補正テーブルの算出を終了した場合、補正回路のＲＯＭに書き込む。液晶パネルは、画像を表示するための画像信号から、ＲＯＭに記録された画像補正テーブルを参照し、線形補間された補正値を算出し、この補正値によって画像信号を調整して出力する。
【先行技術文献】
【特許文献】
【０００３】
【特許文献１】特開２０１０−５７１４９号公報（第１頁、図１）
【発明の概要】
【発明が解決しようとする課題】
【０００４】
このような調整においては、液晶パネルの画素の輝度むらを是正するために、補正により輝度を上下させる必要がある。しかしながら、輝度が１００％となるピーク階調においては、輝度を下げることはできるが、上げることはできない。このため、液晶パネル内の画素の輝度を均一にするためには、低い輝度を基準にして調整しなければならなかった。この場合、より高い輝度で発光可能な画素（ピクセル）においても輝度を下げるため、全体の輝度を下げてしまうという課題があった。
【０００５】
本発明は、上記課題を解決するためになされたものであり、その目的は、各画素における最高輝度を活かした画像を提供可能としながら、表示むらを抑制するための表示装置を提供することにある。
【課題を解決するための手段】
【０００６】
上記問題点を解決するために、請求項１に記載の発明は、供給された画像信号に基づいてディスプレイに画像を表示する表示装置であって、画像信号から各画素の信号輝度を取得し、この信号輝度が属する階調帯を特定し、前記特定した階調帯がピーク階調を含まない階調帯の場合には、前記階調帯の上位階調及び下位階調の補正値を取得し、これら上位階調の補正値及び下位階調の補正値を線形補間することにより、前記信号輝度に対応する第１補正値を算出し、前記特定した階調帯がピーク階調を含む階調帯の場合には、前記階調帯以下の階調の補正値を取得し、この補正値を用いて、前記信号輝度に対応する第２補正値を算出し、前記算出した第１補正値又は第２補正値を用いて、前記信号輝度を補正することを要旨とする。
【０００７】
請求項２に記載の発明は、請求項１に記載の表示装置において、前記第２補正値によって補正した輝度がピーク階調に対応する輝度を超える場合には、ピーク輝度を用いることを要旨とする。
【０００８】
請求項３に記載の発明は、請求項１又は２に記載の表示装置において、第２補正値を算出する場合には、前記信号輝度以下の２階調以上の補正値を取得し、これら補正値を用いて、前記信号輝度に対応する第２補正値を算出することを要旨とする。
【０００９】
（作用）
請求項１に記載の発明によれば、供給された画像信号に基づいてディスプレイに画像を表示する表示装置であって、画像信号から各画素の信号輝度を取得し、この信号輝度が属する階調帯を特定し、前記特定した階調帯がピーク階調を含まない階調帯の場合には、前記階調帯の上位階調及び下位階調の補正値を取得し、これら上位階調の補正値及び下位階調の補正値を線形補間することにより、前記信号輝度に対応する第１補正値を算出し、前記特定した階調帯がピーク階調を含む階調帯の場合には、前記階調帯以下の階調の補正値を取得し、この補正値を用いて、前記信号輝度に対応する第２補正値を算出し、前記算出した第１補正値又は第２補正値を用いて、前記信号輝度を補正する。輝度が高い場合、輝度のバラツキは見え難くなる。従って、ピーク階調帯においては、輝度を優先した画像を提供しながら、他の階調帯においては表示むらを抑制することができる。
【００１０】
請求項２に記載の発明によれば、第２補正値によって補正した輝度がピーク階調に対応する輝度を超える場合には、ピーク輝度を用いる。これにより、その画素において出力可能な最高輝度を使用して画像を表示することができる。
【００１１】
請求項３に記載の発明によれば、第２補正値を算出する場合には、前記信号輝度以下の２階調以上の補正値を取得し、これら補正値を用いて、前記信号輝度に対応する第２補正値を算出する。これにより、各画素の複数の補正値を用いて、補正値を算出することができる。
【発明の効果】
【００１２】
本発明によれば、各画素における最高輝度を活かした画像を提供可能としながら、表示むらを抑制することができる。
【図面の簡単な説明】
【００１３】
【図１】本発明の表示装置の輝度補正回路の概略構成図。
【図２】本発明の輝度調整処理の処理手順の流れ図。
【図３】本発明の補正値の算出を説明する説明図。
【図４】本発明の補正値の算出を説明する説明図であり、（ａ）はピーク階調を含まない場合、（ｂ）はピーク階調を含む場合を説明する。
【発明を実施するための形態】
【００１４】
以下、本発明を具体化した一実施形態を図１〜図４に基づいて説明する。本実施形態では、表示むら（輝度むら）を抑制して画質を改善した表示装置について説明する。なお、本実施形態では、表示装置として、図１に示す液晶パネル１０を用いる。
【００１５】
この液晶パネル１０は、透明電極に挟まれた液晶（液晶部）と、背面から液晶を照明するバックライトから構成されている。このため、液晶パネル１０には、液晶部のむらやバックライトの周辺減光が重畳された画像が出力されることになる。
【００１６】
液晶パネル１０は、供給される画像信号の輝度を調整するための輝度補正回路１１を備えている。この輝度補正回路１１は、画像補正テーブルを記録するための不揮発性メモリのＲＯＭ１１０を備える。液晶パネル１０に画像を表示するための画像信号（ＲＧＢ信号）は、輝度補正回路１１に供給される。
【００１７】
このＲＯＭ１１０は、入力された画像信号の信号値を調整するための補正値に関するデータ（画像補正テーブル）を記憶している。本実施形態では、基準階調毎に補正値の平面分布を記憶する。この画像補正テーブルは、後述する補正データ生成システムを用いて、補正データ生成処理によって作成される。
【００１８】
この輝度補正回路１１は、後述する輝度調整処理において、画像信号の輝度を調整する。この輝度補正回路１１は、補正値算出手段１１１及び輝度補正手段１１２を備える。
補正値算出手段１１１は、ＲＯＭ１１０に記録された画像補正テーブルを、ＲＧＢ信号毎に参照し、画像信号の輝度に対応する補正値を算出する。ここで、補正値算出手段１１１は、２つの補正値算出式（第１補正値算出式（１）、第２補正値算出式（２））を記憶している。
γ＝〔α＊(Ｘ−Ｌ(i))＋β＊(Ｌ(i+1)−Ｘ)〕／（Ｌ(i+1)−Ｌ(i)）  …（１）
γ＝α＊Ｘ／Ｌ(i)  …（２）
【００１９】
本実施形態では、図３に示すように、補正値γを算出するために複数の基準階調Ｌ(0)
〜Ｌ(n)を用いる。ここで、基準階調Ｌ(0)は０％階調（ミニマム階調）であり、Ｌ(n)は
１００％階調（ピーク階調）である。そして、画像補正テーブルには、基準階調Ｌ(1)〜
Ｌ(n-1)の補正値が記憶されている。なお、Ｘは信号輝度に対応する階調である。Ｌ(i)及びＬ(i+1)は、階調Ｘが属する階調帯の下位基準階調及び上位基準階調である。また、α
及びβは、この階調帯の下位基準階調Ｌ(i)及び上位基準階調Ｌ(i+1)の補正値である。
【００２０】
補正値算出式（１）は、図３における領域（ａ）に示すように、画像信号の輝度が基準階調Ｌ(n-1)以下の範囲（通常階調帯）に存在する場合に補正値を算出するための式であ
る。補正値算出式（１）は、図４（ａ）に示すように、画像信号の輝度が下位基準階調Ｌ(i)及び上位基準階調Ｌ(i+1)の間にある場合、それぞれの補正値α，βを用いた線形補間により補正値を算出する関数式である。
【００２１】
補正値算出式（２）は、図３における領域（ｂ）に示すように、画像信号の輝度がピーク階調Ｌ(n)〜基準階調Ｌ(n-1)の範囲（ピーク階調帯）に存在する場合に補正値を算出するための式である。補正値算出式（２）は、図４（ｂ）に示すように、画像信号の輝度が属するピーク階調帯の下位基準階調Ｌ(n-1)の補正値αを用いて補正値を算出する関数式
である。本実施形態の補正値算出式（２）は、下位基準階調Ｌ(n-1)の補正値αを線形補
正することによって算出する関数式である。
【００２２】
輝度補正回路１１の輝度補正手段１１２は、補正値算出手段１１１から取得した補正値を、入力された補正前の画像信号に加算する。液晶パネル１０は、この補正された画像信号を取得して、画像を表示する。
【００２３】
（補正データ生成システム）
次に、ＲＯＭ１１０に記憶された基準階調Ｌ(1)〜Ｌ(n-1)の補正値を生成するための補正データ生成システムについて説明する。この補正データ生成システムは、画質調整装置、撮影カメラ、テストパターン発生装置、ＲＯＭライタから構成される。画質調整装置は、撮影カメラ、テストパターン発生装置、ＲＯＭライタに接続されている。
【００２４】
撮影カメラは、液晶パネル１０上に表示された画像を撮影し、出力画像データを画質調整装置に供給する。本実施形態では、撮影カメラとして、表示パネルの画素サイズよりも小さい領域を解像可能なＣＣＤ素子を備えたモノクロカメラを用いる。
【００２５】
テストパターン発生装置は、画質調整装置からの指示に基づいて、液晶パネル１０にテストパターン信号を供給する。本実施形態では、８ｂｉｔのＲＧＢ信号を液晶パネル１０
全面に供給する。
【００２６】
画質調整装置は、液晶パネル１０の画質を調整するための補正値を算出する処理を実行するコンピュータ端末である。この画質調整装置は、制御部及び補正情報記憶部を備える。
【００２７】
制御部は、ＣＰＵ、ＲＡＭ及びＲＯＭ等を有し、後述する補正データ生成処理を行なう。具体的には、制御部は、液晶パネル１０に入力する信号を制御するとともに、後述するように、液晶パネル１０に表示された出力画像データに基づいて補正データ生成処理を実行する。
【００２８】
補正情報記憶部は、各液晶パネル１０の画像を補正するための補正データ（画像補正テーブル）を記憶する。この補正データは、画質調整装置から画像補正テーブルを取得した場合に登録される。この補正情報記憶部には、この液晶パネル１０のＲＯＭ１１０に書き込むための補正データ（所定の基準階調毎に表示むらを抑制するための画像補正テーブル）が一時的に記憶される。
ＲＯＭライタは、画質調整装置に記憶された画像補正テーブルを取得し、この画像補正テーブルを液晶パネル１０のＲＯＭ１１０に書き込む。
【００２９】
（補正データ生成処理）
次に、この補正データ生成システムを用いて、基準階調Ｌ(1)〜Ｌ(n-1)の補正値に関する画像補正テーブルの生成処理について説明する。
【００３０】
まず、画質調整装置の制御部は、表示むらの測定処理を実行する。具体的には、制御部が、テストパターン発生装置に対して、調整対象階調の画像出力を行なうためのＲＧＢ信号の出力を指示する。ここでは、調整対象階調において、液晶パネル１０の全面に対して、Ｒ信号値、Ｇ信号値、Ｂ信号値が同じ信号（共通する信号値）を用いる。この指示に応じて、テストパターン発生装置は、調整対象階調となる８ｂｉｔのＲＧＢ信号を液晶パネル１０に供給する。
【００３１】
そして、液晶パネル１０は、これに応じて調整対象階調のグレー画像を出力する。この場合、液晶においてセルギャップのむらや、バックライトの明るさにむらがある場合には、液晶パネル１０において、これらのむらが重畳された表示むらが生じる。ここで、撮影カメラは、表示むらが重畳された画像を撮影する。
【００３２】
次に、画質調整装置の制御部は、液晶パネル１０を撮影した出力画像データを撮影カメラから取り込む。そして、制御部は、この出力画像データを、８×８ピクセルから構成されたブロック毎の輝度分布に変換する。
【００３３】
次に、画質調整装置の制御部は、フィルタリング処理を実行する。具体的には、制御部は、この変換した出力画像データに対してバンドパスフィルタリングを行なうことにより、バンドパスデータを算出する。このバンドパスデータは、液晶パネル１０の面内の輝度分布に応じて、低周波成分や高周波成分を除いた分布から構成される。
【００３４】
次に、画質調整装置の制御部は、補正値の算出処理を実行する。具体的には、制御部は、バンドパスデータを反転させた画像補正テーブルを生成する。ここでは、予め設定された階調（基準階調）毎に、液晶パネル１０上の補正値の分布を算出する。本実施形態では、８ｂｉｔで表現される信号値において所定数（例えば、６段階）の基準階調を用いる。そして、基準階調に対応した調整対象階調を１段階毎に順次変更し、調整対象階調毎に画像補正テーブルを生成する。更に、制御部は、調整を行なった基準階調を特定する識別子
に関連付けて画像補正テーブルを補正情報記憶部に記憶する。
【００３５】
そして、すべての基準階調についての補正値を算出した場合、画質調整装置の制御部は、補正値の登録処理を実行する。具体的には、制御部は、補正情報記憶部に記憶された補正テーブルを、ＲＯＭライタに供給する。この場合、ＲＯＭライタは、液晶パネル１０のＲＯＭ１１０に補正テーブルを書き込む。これにより、ＲＯＭ１１０には、基準階調毎に、液晶パネル１０の面内のブロック位置（ｘｙ座標）に対して補正値の分布が記録される。
【００３６】
（輝度調整処理）
本実施形態の液晶パネル１０は、上述した補正データ生成システムを用いた補正データ生成処理によって算出された基準階調毎の補正値を用いて、画像信号の輝度調整処理を実行する。ここで、液晶パネル１０において、画像を出力する場合の輝度調整処理について、図２を用いて説明する。
【００３７】
まず、液晶パネル１０の輝度補正回路１１は、信号輝度の取得処理を実行する（ステップＳ１）。具体的には、輝度補正回路１１の補正値算出手段１１１は、輝度補正前の画像信号（ＲＧＢ信号）から、公知の技術を用いてブロック位置における輝度を算出する。そして、この輝度の大きさに対応する階調を特定する。
【００３８】
次に、液晶パネル１０の輝度補正回路１１は、信号輝度に対応する階調Ｘが属する階調帯の特定処理を実行する（ステップＳ２）。具体的には、輝度補正回路１１の補正値算出手段１１１は、信号輝度の階調Ｘと、画像補正データの各基準階調Ｌ(i)とを比較し、輝
度階調が属する階調帯を特定する。
【００３９】
そして、液晶パネル１０の輝度補正回路１１は、ピーク階調帯に属するか否かの判断処理を実行する（ステップＳ３）。具体的には、輝度補正回路１１の補正値算出手段１１１は、信号輝度の階調Ｘがピーク階調Ｌ(n)〜基準階調Ｌ(n-1)の範囲のピーク階調帯に属するか否かを判定する。
【００４０】
ここで、ピーク階調帯に属さない場合（ステップＳ３において「ＮＯ」の場合）、輝度補正回路１１は、階調帯を構成する２つの基準階調の補正値の取得処理を実行する（ステップＳ４）。具体的には、輝度補正回路１１の補正値算出手段１１１は、上位基準階調Ｌ(i+1)、下位基準階調Ｌ(i)を特定する。補正値算出手段１１１は、これら基準階調に対応する補正値α，βをＲＯＭ１１０から取得する。
【００４１】
そして、液晶パネル１０の輝度補正回路１１は、２つの階調の補正値を線形補間して第１補正値の算出処理を実行する（ステップＳ５）。具体的には、輝度補正回路１１の補正値算出手段１１１は、上位基準階調Ｌ(i+1)と、下位基準階調Ｌ(i)と、これらに対応する補正値（α，β）と、この信号輝度の階調Ｘとを、（１）式に代入することにより、この画素における補正値γを算出する。
【００４２】
一方、ピーク階調帯に属する場合（ステップＳ３において「ＹＥＳ」の場合）、輝度補正回路１１は、ピーク階調とともにピーク階調帯を構成する基準階調の補正値の取得処理を実行する（ステップＳ６）。具体的には、輝度補正回路１１の補正値算出手段１１１は、ピーク階調帯の下位基準階調Ｌ(n-1)に対応する補正値αをＲＯＭ１１０から取得する
。
【００４３】
そして、液晶パネル１０の輝度補正回路１１は、取得した補正値を用いて第２補正値の算出処理を実行する（ステップＳ７）。具体的には、輝度補正回路１１の補正値算出手段
１１１は、下位基準階調Ｌ(i)（＝Ｌ(n-1)）と、これに対応する補正値αと、この信号輝度の階調Ｘとを、（２）式に代入することにより、画像信号における輝度階調を補正するための補正値γを算出する。
【００４４】
次に、液晶パネル１０の輝度補正回路１１は、補正値を用いて輝度補正処理を実行する（ステップＳ８）。具体的には、輝度補正回路１１の輝度補正手段１１２は、算出された補正値γを、入力された補正前の画像信号に加算する。ここで、補正後の画像信号の輝度値が、ピーク階調を超える値になった場合には、最高輝度を用いる。以上により、この画素における輝度調整処理が終了する。
【００４５】
本実施形態によれば、以下のような効果を得ることができる。
（１）  本実施形態では、液晶パネル１０の輝度補正回路１１は、信号輝度に対応する階調Ｘがピーク階調帯に属しない場合（ステップＳ３において「ＮＯ」の場合）、階調帯を構成する２つの階調の補正値を用いた線形補間によって第１補正値を算出する（ステップＳ４，Ｓ５）。一方、輝度補正回路１１は、信号輝度に対応する階調Ｘがピーク階調帯に属する場合（ステップＳ３において「ＹＥＳ」の場合）、ピーク階調とともにピーク階調帯を構成する基準階調の補正値を用いて第２補正値の算出処理を実行する（ステップＳ６，Ｓ７）。そして、輝度補正回路１１は、第１補正値又は第２補正値を用いて輝度補正処理を実行する（ステップＳ８）。輝度が高い場合、輝度のバラツキは見え難くなる。従って、ピーク階調帯においては、輝度を優先した画像を提供しながら、他の階調帯においては表示むらを抑制することができる。
【００４６】
（２）  本実施形態では、液晶パネル１０の輝度補正回路１１は、輝度調整処理における輝度補正処理（ステップＳ８）において、補正後の画像信号の値が、最大出力信号の値を超える値になった場合には、最大出力信号の値にする。これにより、その画素において出力可能な最高輝度を使用して画像を表示することができる。
【００４７】
また、上記実施形態は以下のように変更してもよい。
・  上記実施形態においては、液晶パネル１０の輝度補正回路１１は、第２補正値を、ピーク階調とピーク階調帯を構成する基準階調の補正値を用いた（２）式を用いて算出した。第２の補正値の算出方法は、この算出式に限定されるものではなく、ピーク階調帯と、ピーク階調を含まない階調帯とを異なる補正方法を用いればよい。例えば、ピーク階調帯において、直近の基準階調の補正値を、そのまま第２補正値として用いるようにしてもよい。
更に、第２の補正値は、他の階調の補正値を用いて算出してもよい。例えば、特定した階調帯のピーク階調とピーク階調帯を構成する基準階調の補正値と、それよりも１段階下の階調の補正値とから算出する式を用いて算出してもよい。ここでは、ピーク階調の１段階下の基準階調Ｌ(n-1)の補正値α(n-1)と２段階下の基準階調Ｌ(n-2)の補正値α(n-2)との平均値を用いてもよい。具体的には、次の（３）式を用いてもよい。
γ＝（α(n-1)＊Ｘ／Ｌ(n-1)＋α(n-2)＊Ｘ／Ｌ(n-2)）／２  …（３）
これにより、各画素の複数の階調の補正値を用いて、補正値を算出することができる。
【００４８】
・  上記実施形態においては、液晶パネル１０の輝度補正回路１１は、信号輝度がピーク階調帯に属するか否かによって補正値の算出を変更した。これに加えて、液晶パネル１０の輝度補正回路１１は、信号輝度に対応する階調がミニマムの階調帯に属するか否かによって補正値の算出を変更してもよい。この場合、ミニマム階調を含む場合には、次の補正値算出式（４）を用いて補正値γを算出する。
γ＝α＊Ｘ／Ｌ(1)  …（４）
ここで、Ｌ(1)は、ミニマムの階調の１段階上の基準階調であり、αは、この基準階調
の補正値であり、Ｘは信号輝度に対応する階調である。
【００４９】
そして、輝度調整処理において、液晶パネル１０の輝度補正回路１１は、信号輝度がミニマム階調帯に属するか否かの判断処理を実行する。具体的には、輝度補正回路１１は、信号輝度の階調Ｘが、基準階調Ｌ(1)〜ミニマム階調Ｌ(0)の範囲のミニマム階調帯に属するか否かを判定する。
【００５０】
ここで、ミニマム階調帯に属しない場合、輝度補正回路１１は、ステップＳ４，Ｓ５の処理を実行する。一方、ミニマム階調帯に属する場合には、輝度補正回路１１は、ミニマム階調とともにミニマム階調帯を構成する基準階調の補正値を用いて第３補正値を算出する。具体的には、輝度補正回路１１は、ミニマム階調帯の上位基準階調Ｌ(1)及びこの補
正値αと、この信号輝度の階調Ｘとを取得し、（４）式に代入することにより、第３補正値としての補正値γを算出する。
【００５１】
そして、輝度補正回路１１は、ステップＳ８と同様に、補正値を用いて輝度補正処理を実行する。この場合、補正後の画像信号の輝度値が、ミニマム階調を下回る値になった場合には、最小輝度となる最小出力信号の値にする。以上により、輝度補正処理が終了する。これにより、各画素の最低輝度を活かした画像を提供可能としながら、表示むらを抑制することができる。
【００５２】
・  上記実施形態においては、液晶パネル１０の表示むらの抑制に適用したが、調整対象の表示パネルはこれに限定されるものではない。プラズマディスプレィ（ＰＤＰ）、投影型プロジェクタ等のような画像出力装置に適用することも可能である。
【００５３】
次に、上記実施形態及び別例から把握できる技術的思想について、それらの効果とともに以下に追記する。
（ａ）前記特定した階調帯がミニマム階調を含まない階調帯の場合には、前記第１補正値を算出し、
前記特定した階調帯がミニマム階調を含む階調帯の場合には、前記階調帯以上の階調の補正値を取得し、この補正値を用いて、信号輝度に対応する第３補正値を算出し、
前記算出した第１補正値、第２補正値又は第３補正値を用いて、信号輝度を補正することを特徴とする請求項１〜３のいずれか１項に記載の表示装置。
従って、この（ａ）に記載の発明によれば、ミニマム階調帯においては、輝度を優先して暗い画像を提供しながら、他の階調帯において表示むらを抑制することができる。
【００５４】
（ｂ）前記第２補正値によって補正した輝度がミニマム輝度よりも低い場合には、ミニマムの輝度を用いることを特徴とする（ａ）に記載の表示装置。
従って、この（ｂ）に記載の発明によれば、その画素において出力可能な最低輝度を使用して画像を表示することができる。
【符号の説明】
【００５５】
α，β，γ…補正値、Ｌ（n）…ピーク階調、Ｘ…信号輝度に対応する階調、１０…液
晶パネル、１１…輝度補正回路、１１０…ＲＯＭ、１１１…補正値算出手段、１１２…輝度補正手段。
【図１】
2012063440.tif 000003
【図２】
2012063440.tif 000004
【図３】
2012063440.tif 000005
【図４】
2012063440.tif 000006